(57)【要約】【課題】生体情報管理システムで用いる使い捨てセンサチップの適切な発注時期を自動的に判定する。【解決手段】サーバ４に収集された生体情報の数を生体情報計数手段４ｂで計数し、その計数値を用いてユーザの手元に存在する使い捨てセンサチップ１ａの数を把握し、購入時期判定手段５ａが使い捨てセンサチップ１ａの発注時期を判定する。【選択図】図１
2005267135.tif 000002
【特許請求の範囲】
【請求項１】
使い捨てセンサチップを用いて測定されたユーザの生体情報を通信ネットワークを介してサーバに収集し遠隔管理する生体情報管理システムであって、前記サーバに収集された生体情報の数を計数する生体情報計数手段と、前記生体情報計数手段の計数結果を用いて判定される時期に前記使い捨てセンサチップの購入を促す購入推奨手段とを備えた生体情報管理システム。
【請求項２】
使い捨てセンサチップを用いて測定されたユーザの生体情報を通信ネットワークを介してサーバに収集し遠隔管理する生体情報管理システムのプログラムであって、前記サーバに収集された生体情報の数を計数する生体情報計数手段と、前記生体情報計数手段の計数結果を用いて判定される時期に前記使い捨てセンサチップの購入を促す購入推奨手段としてコンピュータを機能させることを特徴とするプログラム。
【発明の詳細な説明】
【技術分野】
【０００１】
本発明は、ユーザの生体情報を通信ネットワークを介してサーバに収集し遠隔管理する生体情報管理システムおよびそのプログラムに関するものであり、特に生体情報の測定に用いられる使い捨てセンサチップの購入時期を自動的に判定する技術に関するものである。
【背景技術】
【０００２】
近年、日本では人口の急速な高齢化や医療の高度化に伴って、医療費の高騰と健康保険財政の逼迫が懸念され、従来推奨されてきた病気の早期発見、早期治療だけでなく、病気にならないための健康管理が、個人的には勿論、社会的にも求められつつある。
【０００３】
一方、米国においては、病院で行うべき治療と自宅で可能な治療とが明確に区別され、手術をした場合でも患者を数日で退院させ、訪問看護などにより経過を在宅管理することが広く行われている。
【０００４】
これらの、病気を未然に防ぐための健康管理や退院後の在宅管理を効率的に行う手段の一つとして、ユーザの体温、血圧や、家庭用血糖計で測定した血糖値などの生体情報を公衆回線やケーブルテレビ、インターネットなどの通信ネットワークを介してサーバに収集し、収集した生体情報を医師や管理栄養士など遠方に位置する専門家が参照して、必要に応じアドバイスや通院を促したりする生体情報管理システムが提案されている。
【０００５】
こうした生体情報管理システムで用いられる生体情報の測定装置の中には、グルコースと特異的に反応する酵素を塗布した血糖値測定用センサチップなどの使い捨てセンサチップを用いて、生体情報を測定するものもある。
【０００６】
消耗品である使い捨てセンサチップはユーザが定期的に購入する必要があるが、購入時期の管理はユーザ個人に委ねられていた。
【０００７】
消耗品の購入時期を自動的に判定する他分野の技術としては、消耗品に予め装着されたＩＣラベルの記憶内容を非接触で読み取って消耗品の数を自動的に確認し、管理する技術が提案されている（例えば、特許文献を１参照）。
【特許文献１】特開２００３−９７８８４号公報
【発明の開示】
【発明が解決しようとする課題】
【０００８】
使い捨てセンサチップの購入時期の管理をユーザ個人に委ねた場合、ユーザが購入し忘れて使い捨てセンサチップが手元になくなってしまい、生体情報を必要時に測定できなくなる恐れがある。
【０００９】
一方、特許文献１で提案されている技術を用いた場合には、使い捨てセンサチップの残数が電子的にわかるので、残数が所定の値を割った適切な時期に購入を促すことができるが、センサチップメーカがセンサチップの一つ一つにＩＣラベルを装着してくれない限り、ユーザが自前でＩＣラベルを用意し、予め使い捨てセンサチップ一つ一つに装着しておかねばならないという課題がある。
【課題を解決するための手段】
【００１０】
本発明は上記課題を解決し、センサチップメーカの協力もユーザ個人の労力も要することなく、使い捨てセンサチップの適切な購入時期を自動的に判定することを目的としてなされたものであり、サーバに収集された生体情報の数を計数する生体情報計数手段と、生体情報計数手段の計数結果を用いて判定される時期に使い捨てセンサチップの購入を促す購入推奨手段とを備えている。
【発明の効果】
【００１１】
使い捨てセンサチップは、ユーザが生体情報を測定する度に一つずつ消費される。一方、サーバには、ユーザが生体情報を測定する度に生体情報が一つずつ記憶される。
【００１２】
従って、サーバに収集された生体情報の数を生体情報計数手段により計数することで、ユーザが消費した使い捨てセンサチップの個数を把握することができ、購入時期判定手段はユーザの手元にある使い捨てセンサチップが残りわずかになった適切な時期に、使い捨てセンサチップの購入時期が到来していると判定し、ユーザに購入を促すことができる。
【発明を実施するための最良の形態】
【００１３】
第１の発明は、使い捨てセンサチップを用いて測定されたユーザの生体情報を通信ネットワークを介してサーバに収集し遠隔管理する生体情報管理システムであって、サーバに収集された生体情報の数を計数する生体情報計数手段と、生体情報計数手段の計数結果を用いて判定される時期に使い捨てセンサチップの購入を促す購入推奨手段とを備えた構成としているので、サーバに収集された生体情報の数に基づいてユーザが消費した使い捨てセンサチップの個数を把握し、適切な時期に使い捨てセンサチップの購入時期が到来していると判定し、ユーザに購入を促すことができる。
【００１４】
第２の発明は、使い捨てセンサチップを用いて測定されたユーザの生体情報を通信ネットワークを介してサーバに収集し遠隔管理する生体情報管理システムのプログラムであって、サーバに収集された生体情報の数を計数する生体情報計数手段と、生体情報計数手段の計数結果を用いて判定される時期に使い捨てセンサチップの購入を促す購入推奨手段としてコンピュータを機能させることを特徴とするプログラムである。
【００１５】
そして、汎用の情報処理装置として構成されたハードウェア資源を協調動作させて、本発明の生体情報管理システムの少なくとも一部を容易に実現することができる。また、記録媒体や通信回線を介して配布し、新たな機能の追加や機能の更新を容易に行うことができる。
【００１６】
以下、本発明の実施の形態について、図面を参照しながら説明する。なお、本実施の形態によって本発明が限定されるものではない。
【００１７】
（実施の形態１）
図１は本発明の実施の形態１の生体情報管理システムを示す構成図である。
【００１８】
図１において、当該生体情報管理システムは、血圧などユーザの生体情報を測定する生体情報測定手段１と、生体情報測定手段１から生体情報を読み出すユーザ端末２と、通信ネットワーク３と、生体情報を収集するサーバ４とを備えて構成される。生体情報測定手段１は、生体情報を電気信号として検出する使い捨てセンサチップ１ａと、電気信号から所定の計算式を用いて生体情報の値を算出する生体情報算出手段１ｂとを備えている。ユーザ端末２は、汎用の個人用コンピュータで実現している。通信ネットワーク３は、公衆回線やケーブルテレビ、ＡＤＳＬなどを用いたインターネットを利用して実現している。サーバ４は、生体情報を保存するデータベース４ａと、生体情報の数を計数する生体情報計数手段４ｂと、生体情報計数手段４ｂの計数結果を用いて判定される時期に使い捨てセンサチップ１ａの購入をユーザに促す購入推奨手段５とを備えている。この購入推奨手段５は、使い捨てセンサチップ１ａを購入すべき時期を判定する購入時期判定手段５ａと、判定結果に基づきユーザに使い捨てセンサチップ１ａを購入するよう促す推奨手段５ｂとを備えている。
【００１９】
サーバ４は、ハードウェア的には中央演算処理装置（いわゆるＣＰＵ）と、プログラムや恒久的なデータを記録した記憶装置と、一時的なデータを格納する高速アクセス可能なメモリと、入出力装置とを備えた汎用の情報処理装置として構成し、それらのハードウェア資源を協調動作させる予め記憶装置に記憶されたプログラムによって、ソフトウェア的に実現してもよい。
【００２０】
また、図２は、購入時期判定手段５ａが行う判定処理を表わすフローチャートである。
【００２１】
以下、生体情報測定手段１が生体情報の一つである血糖値を測定する場合を例として、動作、作用を説明する。
【００２２】
使い捨てセンサチップ１ａは、グルコースと特異的に反応して酸化反応を引き起こす酵素を塗布されたグルコース検出センサにより構成されており、ユーザが使い捨てセンサチップ１ａに微量の血液を付着させたとき酸化反応が発生し、酸化反応に伴う電流を血液中のグルコース濃度に対応した大きさで出力する。使い捨てセンサチップ１ａは、グルコース濃度を一度測定すると破棄され、再利用できない。
【００２３】
生体情報算出手段１ｂは、使い捨てセンサチップ１ａの出力電流の大きさから、所定の計算式を用いてユーザの血糖値を算出する。
【００２４】
ユーザ端末２は、ＲＳ２３２Ｃケーブルで生体情報測定手段１に接続され、同ケーブルを介して生体情報測定手段１が測定した生体情報を読み出し、通信ネットワーク３を介してサーバ４へと送信する。読み出された生体情報は、生体情報測定手段１から自動的に消去される。
【００２５】
サーバ４は、通信ネットワーク３を介して生体情報を受信し、データベース４ａに記録する。
【００２６】
記録された生体情報は、通信ネットワーク３を介して医師や管理栄養士などの専門化が、専用ソフトウェアをインストールした汎用コンピュータ（図示せず）から参照し、必要に応じて指示を出すことができる。
【００２７】
生体情報計数手段４ｂは、新たな生体情報がデータベース４ａに記憶されたとき、その生体情報を測定したユーザの、生体情報測定手段１で測定された生体情報の数を計数する。
【００２８】
購入推奨手段５中の購入時期判定手段５ａは、生体情報計数手段４ｂの計数結果を用いて、ユーザが使い捨てセンサチップ１ａを新たに発注すべきか否かを判定する。以下、この判定処理について、図２を参照しながら説明する。
【００２９】
購入時期判定手段５ａは、ステップＳ１において、生体情報計数手段４ｂの計数結果をＸとする。また、一箱単位で使い捨てセンサチップ１ａを購入したとき、総計いくつの使い捨てセンサチップ１ａを購入することになるかを表わす数、すなわち、一箱中の使い捨てセンサチップ１ａの数をＡとする。また、Ａから所定の定数Ｍを減算した値をＮとする。ここで定数Ｍは、ユーザの手元に残る使い捨てセンサチップ１ａがＭ個になったとき使い捨てセンサチップ１ａを新たに発注すべきことを表わす値である。
【００３０】
ステップＳ２において、購入時期判定手段５ａは、Ｘ％Ａの値とＮとを比較する。ここで％はモジュラー演算子であり、Ｘ％ＡはＸをＡで除算したときの余りを表わす。この余りの値がＮと等しい場合には（ステップＳ２でＹＥＳ）、ステップＳ３へと進んで、使い捨てセンサチップ１ａを発注すべき時期であると判定する。一方、Ｘ％ＡがＮと異なる場合には（ステップＳ２でＮＯ）、ステップＳ４へと進んで、発注すべき時期ではないと判定する。
【００３１】
例えば、Ａが１００、Ｍが１０である場合を例にとると、Ｎ＝９０となるので、Ｘが９０、１９０、２９０、３９０・・・・の場合には使い捨てセンサチップ１ａを発注すべき時期であると判定し、それ以外の場合には発注すべき時期ではないと判定する。すなわち、ユーザが一箱単位で使い捨てセンサチップ１ａを購入すれば、ユーザの手元に残っている使い捨てセンサチップ１ａが丁度Ｍ個になったとき、購入時期判定手段５ａは発注すべき時期であると判定することになる。
【００３２】
図１に戻って、推奨手段５ｂは、購入時期判定手段５ａが発注すべき時期であると判定したとき、通信ネットワーク３を介してユーザ端末２と通信を行い、使い捨てセンサチップ１ａの購入を促す画面をユーザ端末２の画面上に表示して、その場で購入するか否かを尋ねる。
【００３３】
一方、購入時期判定手段５ａが発注すべき時期ではないと判定したときには、推奨手段５ｂはユーザ端末２との通信を行わず、ユーザ端末２の画面上に何も表示しない。
【００３４】
ユーザがユーザ端末２を操作してその場で購入するという意思表示をすると、推奨手段５ｂは、使い捨てセンサチップ１ａを扱う店舗へ注文書を送信する。
【００３５】
本実施の形態によれば、ユーザの手元に残っている使い捨てセンサチップ１ａがＭ個になったとき、購入推奨手段５が使い捨てセンサチップ１ａを購入すべき時期であると自動的に判定し、ユーザに購入するよう促すので、ユーザが購入し忘れて使い捨てセンサチップ１ａが手元からなくなってしまい、生体情報を測定すべきときに測定できないという自体が発生するのを未然に防止することが可能となる。
【００３６】
また、特許文献１の技術を用いる場合のように、使い捨てセンサチップ１ａ一つ一つにＩＣラベルを装着しなくても、使い捨てセンサチップ１ａの購入時期を良好に判定することが可能となる。
【００３７】
なお、上記実施の形態では、生体情報測定手段１が血糖計であり使い捨てセンサチップ１ａがグルコース検出センサである場合を例として説明したが、尿検査に用いられる検査紙を使い捨てセンサチップ１ａとし、検査紙の色を光学的に読み取って尿蛋白などを算出する尿検査計を生体情報測定手段１として用いるなど、血圧以外の生体情報を測定対象としても勿論構わない。
【００３８】
また、購入推奨手段５がユーザに購入を促す画面をユーザ端末２に表示する際に、ユーザの手元に使い捨てセンサチップ１ａがＭ個残っていると想定している旨を一緒に表示し、必要に応じて実際に残っている数をユーザが入力できるようにしてもよい。このようにすれば、定数Ｍとユーザが入力した数との差を補正値としてデータベース４ａに記憶しておき、以後、購入時期判定手段５ａが購入時期を判定する際にはステップＳ１でＮをＡ＋補正値−Ｍとして求めることにより、ユーザが生体情報の測定に失敗したりして実際に消費された使い捨てセンサチップ１ａの数とデータベース４ａに記憶されている生体情報の数とが一致しなくなった場合でも、その差を勘案して正しく発注時期を判定することが可能となる。
【００３９】
また、ユーザが過去に使い捨てセンサチップ１ａを何箱発注したかを表わす値Ｂをデータベース４ａに記憶しておき、ユーザの手元に残っているであろう使い捨てセンサチップ１ａの数をＡ×Ｂ−Ｘとして算出し、ステップＳ２の判定条件をＡ×Ｂ−Ｘ≦Ｍとするなど、値Ｘを用いて図２とは異なる計算式で発注時期を判定しても、同様の効果が得られるのは言うまでもない。
【００４０】
また、データベース４ａに生体情報と共にその測定日時を記憶しておき、生体情報計数手段４ｂは、データベース４ａに記憶されている生体情報の総数Ｘだけでなく、過去一週間にデータベース４ａに記憶された生体情報の数Ｙも計数し、購入時期判定手段５ａはステップＳ２でＸの代わりにＸ＋Ｙを用いて一週間後にユーザの手元に残るであろう使い捨てセンサチップ１ａの予想値に基づいて判定処理を行うなど、測定日時情報を加味して使い捨てセンサチップ１ａの購入を促す時期を決定してもよい。
【００４１】
なお、本実施の形態で説明した各手段は、ハードウェア的には中央演算処理装置（いわゆるＣＰＵ）、メモリー、記憶装置、入出力装置を備えた汎用の情報処理装置として構成し、それらのハードウェア資源を協調動作させるプログラムによりソフトウェア的に実現してもよい。このようにすれば、プログラムを磁気ディスクや光ディスクなどの記録媒体やインターネットなどの通信回線を介して配布し、新たな機能の追加や機能の更新を容易に行うことができる。
【産業上の利用可能性】
【００４２】
本発明は、使い捨てのセンサチップを用いてユーザの生体情報を測定するあらゆる機器に利用可能である。
【図面の簡単な説明】
【００４３】
【図１】本発明の実施の形態１における生体情報管理システムの構成図
【図２】本発明の実施の形態１における購入推奨のフローチャート
【符号の説明】
【００４４】
１  生体情報測定手段
１ａ  使い捨てセンサチップ
３  通信ネットワーク
４  サーバ
４ｂ  生体情報計数手段
５  購入推奨手段
５ａ  購入時期判定手段
５ｂ  推奨手段
【図１】
2005267135.tif 000003
【図２】
2005267135.tif 000004